(57)【要約】      （修正有）【課題】ジョブの入力に携帯端末装置を利用し、画像形成装置の状態等に基づいて、利用者により入力されたジョブを適切に処理出来るよう判断し、実行させることのできる画像形成装置等を提供する。【解決手段】携帯端末装置から受信された第１ジョブ情報に基づいたジョブが、検出された画像形成装置の状態で、実行可能か否かを判定する。第１ジョブ情報に基づいたジョブが実行出来ないと判定された場合には、第２ジョブ情報を作成し、携帯端末装置に送信する。そして、携帯端末装置から第２ジョブ情報の実行を許可する信号が受信された場合に、前記第２ジョブ情報に基づいてジョブを実行する。【選択図】図２
2012250420.tif 000002
【特許請求の範囲】
【請求項１】
携帯端末装置と通信可能であり、ジョブ情報に基づいてジョブを実行するジョブ実行手段を有した画像形成装置において、
前記携帯端末装置から、第１ジョブ情報を受信する第１ジョブ情報受信手段と、
画像形成装置の状態を検出する検出手段と、
前記検出手段により検出された状態で、前記第１ジョブ情報に基づいたジョブが実行可能か否かを判定するジョブ判定手段と、
前記ジョブ判定手段により、第１ジョブ情報に基づいたジョブが実行出来ないと判定された場合には、第２ジョブ情報を作成する第２ジョブ情報作成手段と、
を備え、
前記ジョブ実行手段は、前記第２ジョブ情報に基づいてジョブを実行することを特徴とする画像形成装置。
【請求項２】
前記第２ジョブ情報を前記携帯端末装置に送信する第２ジョブ情報送信手段を更に備え、
前記ジョブ実行手段は、前記携帯端末装置から第２ジョブ情報の実行を許可する信号が受信された場合に、前記第２ジョブ情報に基づいてジョブを実行することを特徴とする請求項１に記載の画像形成装置。
【請求項３】
前記第１ジョブ情報と、前記画像形成装置の状態とに対応づけて第２ジョブ情報を記憶する記憶手段を更に有し、
前記第２ジョブ情報作成手段は、前記第１ジョブ情報と、前記画像形成装置の状態とから、前記記憶手段に基づいて第２ジョブを作成することを特徴とする請求項１又は２に記載の画像形成装置。
【請求項４】
前記画像形成装置の状態にはカラートナーに関する情報が記憶されており、前記第２ジョブ情報には、前記カラートナーが無い場合には、単色モードとなることを特徴とする請求項３に記載の画像形成装置。
【請求項５】
前記画像形成装置の状態には用紙情報が記憶されており、前記第２ジョブ情報には、所定の用紙が無い場合には、原稿の拡大又は縮小を行うジョブが記憶されていることを特徴とする請求項３に記載の画像形成装置。
【請求項６】
携帯端末装置と、当該携帯端末装置と通信可能であり、ジョブ情報に基づいてジョブを実行するジョブ実行手段を有した画像形成装置とを含む画像形成システムにおいて、
前記携帯端末装置は、
第１ジョブ情報を入力する入力手段と、
前記第１ジョブ情報を前記画像形成装置に送信する第１ジョブ情報送信手段と、
を備え、
前記画像形成装置は、
前記携帯端末装置から、第１ジョブ情報を受信する第１ジョブ情報受信手段と、
画像形成装置の状態を検出する検出手段と、
前記検出手段により検出された状態で、前記第１ジョブ情報に基づいたジョブが実行可能か否かを判定するジョブ判定手段と、
前記ジョブ判定手段により、第１ジョブ情報に基づいたジョブが実行出来ないと判定された場合には、第２ジョブ情報を作成する第２ジョブ情報作成手段と、
を備え、
前記ジョブ実行手段は、前記第２ジョブ情報に基づいてジョブを実行することを特徴とする画像形成システム。
【請求項７】
携帯端末装置と通信可能であり、ジョブ情報に基づいてジョブを実行するジョブ実行手段を有した画像形成装置に含まれるコンピュータに、
前記携帯端末装置から、第１ジョブ情報を受信する第１ジョブ情報受信機能と、
前記画像形成装置の状態を検出する検出機能と、
前記検出機能により検出された状態で、前記第１ジョブ情報に基づいたジョブが実行可能か否かを判定するジョブ判定機能と、
前記ジョブ判定機能により、第１ジョブ情報に基づいたジョブが実行出来ないと判定された場合には、第２ジョブ情報を作成する第２ジョブ情報作成機能と、
を実現し、
前記ジョブ実行手段は、前記第２ジョブ情報に基づいてジョブを実行することを実現させるためのプログラム。
【発明の詳細な説明】
【技術分野】
【０００１】
本発明は携帯端末装置と通信可能であり、ジョブ情報に基づいてジョブを実行するジョブ実行手段を有した画像形成装置等に関する。
【背景技術】
【０００２】
近年、一人に１台もしくは複数台、携帯端末装置を所有し、それら携帯端末装置を使って、様々なシーンで、様々なことを実現できるようになってきている。例えば、携帯端末装置の一例として携帯電話を考えると、国内間はもとより、海外との間でもリアルタイムで通話ができるのは勿論のこと、昨今では、Ｆｅｃｉｌａ（登録商標）等のＩＣチップを利用した「お財布ケータイ」という機能により買い物の際の支払いを行ったり、携帯音楽プレーヤーとして利用したり、電子書籍の表示端末としても利用したりされるように、急速な進化を遂げている。また、リモコンのように、各種機器を制御するというような製品も存在している。
【０００３】
このような機能を備えた携帯端末装置として、例えば特許文献１のように、携帯端末装置のメモリ内に保存されたドキュメントファイルを、携帯端末装置からの指示に応じて情報処理装置（画像形成装置）でプリント出力させるシステムが提案されている。このシステムによれば、携帯通信端末装置やそのユーザに対する処理や操作負担を極力少なくし、情報処理装置に指示に応じたドキュメント処理を実行させることができる。
【先行技術文献】
【特許文献】
【０００４】
【特許文献１】特開２００６−１６３７９１号公報
【発明の概要】
【発明が解決しようとする課題】
【０００５】
しかしながら、特許文献１で提案されているシステムでは、情報処理装置は携帯通信端末で作成された指示書（指示コマンド）に従って、処理を行なうだけであり、指示された内容、情報処理装置の動作状況、あるいは用紙のセット状況に応じて処理させるといったところは考慮されておらず、使い勝手が良いシステムとは言えなかった。
【０００６】
また画像形成装置の一例であるデジタル複合機をユーザが利用する場合、各装置を利用するときに動作モード（ジョブの内容）を設定しなければならないという問題点があった。特に、デジタル複合機については、例えば利用者がコンビニエンスストア等に設置されている異なる機種を操作する機会等も多い。この場合、利用者は利用するデジタル複合機に不慣れな場合が多く、装置毎にどのような機能が利用可能か、更に現在の装置の状態によってどの機能が利用出来ないのか（例えばカラートナーが無くなっており、カラー印刷が行えない等）を把握するのは困難であった。
【０００７】
上述した課題に鑑み、本発明の目的は、ジョブの入力に携帯端末装置を利用し、画像形成装置の状態等に基づいて、利用者により入力されたジョブを適切に処理出来るよう判断し、実行させることのできる画像形成装置等を提供するものである。
【課題を解決するための手段】
【０００８】
上述した課題を解決するために、本発明の画像形成装置は、
携帯端末装置と通信可能であり、ジョブ情報に基づいてジョブを実行するジョブ実行手段を有した画像形成装置において、
前記携帯端末装置から、第１ジョブ情報を受信する第１ジョブ情報受信手段と、
画像形成装置の状態を検出する検出手段と、
前記検出手段により検出された状態で、前記第１ジョブ情報に基づいたジョブが実行可能か否かを判定するジョブ判定手段と、
前記ジョブ判定手段により、第１ジョブ情報に基づいたジョブが実行出来ないと判定された場合には、第２ジョブ情報を作成する第２ジョブ情報作成手段と、
を備え、
前記ジョブ実行手段は、前記第２ジョブ情報に基づいてジョブを実行することを特徴とする。
【０００９】
また、本発明の画像形成装置において、
前記第２ジョブ情報を前記携帯端末装置に送信する第２ジョブ情報送信手段を更に備え、
前記ジョブ実行手段は、前記携帯端末装置から第２ジョブ情報の実行を許可する信号が受信された場合に、前記第２ジョブ情報に基づいてジョブを実行することを特徴とする。
【００１０】
また、本発明の画像形成装置において、
前記第１ジョブ情報と、前記画像形成装置の状態とに対応づけて第２ジョブ情報を記憶する記憶手段を更に有し、
前記第２ジョブ情報作成手段は、前記第１ジョブ情報と、前記画像形成装置の状態とから、前記記憶手段に基づいて第２ジョブを作成することを特徴とする。
【００１１】
また、本発明の画像形成装置は、前記画像形成装置の状態にはカラートナーに関する情報が記憶されており、前記第２ジョブ情報には、前記カラートナーが無い場合には、単色モードとなることを特徴とする。
【００１２】
また、本発明の画像形成装置は、前記画像形成装置の状態には用紙情報が記憶されており、前記第２ジョブ情報には、所定の用紙が無い場合には、原稿の拡大又は縮小を行うジョブが記憶されていることを特徴とする。
【００１３】
本発明の画像形成システムは、
携帯端末装置と、当該携帯端末装置と通信可能であり、ジョブ情報に基づいてジョブを実行するジョブ実行手段を有した画像形成装置とを含む画像形成システムにおいて、
前記携帯端末装置は、
第１ジョブ情報を入力する入力手段と、
前記第１ジョブ情報を前記画像形成装置に送信する第１ジョブ情報送信手段と、
を備え、
前記画像形成装置は、
前記携帯端末装置から、第１ジョブ情報を受信する第１ジョブ情報受信手段と、
画像形成装置の状態を検出する検出手段と、
前記検出手段により検出された状態で、前記第１ジョブ情報に基づいたジョブが実行可能か否かを判定するジョブ判定手段と、
前記ジョブ判定手段により、第１ジョブ情報に基づいたジョブが実行出来ないと判定された場合には、第２ジョブ情報を作成する第２ジョブ情報作成手段と、
を備え、
前記ジョブ実行手段は、前記第２ジョブ情報に基づいてジョブを実行することを特徴とする。
【００１４】
本発明のプログラムは、
携帯端末装置と通信可能であり、ジョブ情報に基づいてジョブを実行するジョブ実行手段を有した画像形成装置に含まれるコンピュータに、
前記携帯端末装置から、第１ジョブ情報を受信する第１ジョブ情報受信機能と、
前記画像形成装置の状態を検出する検出機能と、
前記検出機能により検出された状態で、前記第１ジョブ情報に基づいたジョブが実行可能か否かを判定するジョブ判定機能と、
前記ジョブ判定機能により、第１ジョブ情報に基づいたジョブが実行出来ないと判定された場合には、第２ジョブ情報を作成する第２ジョブ情報作成機能と、
を実現し、
前記ジョブ実行手段は、前記第２ジョブ情報に基づいてジョブを実行することを実現させることを特徴とする。
【発明の効果】
【００１５】
本発明によれば、携帯端末装置から受信された第１ジョブ情報に基づいたジョブが、検出された画像形成装置の状態で、実行可能か否かを判定する。第１ジョブ情報に基づいたジョブが実行出来ないと判定された場合には、第２ジョブ情報を作成し、携帯端末装置に送信する。そして、携帯端末装置から第２ジョブ情報の実行を許可する信号が受信された場合に、前記第２ジョブ情報に基づいてジョブを実行する。
【００１６】
従って、画像形成装置においてジョブを設定すること無く、携帯端末装置において画像形成装置に関するジョブ情報を入力することが可能となる。更に、当該ジョブ情報が画像形成装置の状態から実行出来ない場合であっても、適切な第２ジョブ情報を携帯端末装置に提示し、許可がされた場合には代替のジョブである第２ジョブが実行されることとなる。
【図面の簡単な説明】
【００１７】
【図１】画像形成システムの概略を説明するための図である。
【図２】第１実施形態におけるデジタル複合機の外観図である。
【図３】第１実施形態におけるデジタル複合機の機能構成を説明するための図である。
【図４】第１実施形態におけるジョブ情報の一例を示す図である。
【図５】第１実施形態における代替ジョブテーブルの一例を示す図である。
【図６】第１実施形態における携帯端末装置の機能構成を説明するための図である。
【図７】第１実施形態における携帯端末装置の処理の流れを説明するためのフローチャートである。
【図８】第１実施形態におけるデジタル複合機の処理の流れを説明するためのフローチャートである。
【図９】第１実施形態における表示画面の一例を示す図である。
【図１０】第１実施形態における表示画面の一例を示す図である。
【図１１】第１実施形態における表示画面の一例を示す図である。
【図１２】第１実施形態における表示画面の一例を示す図である。
【図１３】第２実施形態におけるデジタル複合機の機能構成を説明するための図である。
【図１４】第２実施形態における画像形成システムの課金制御を説明するためのフローチャートである。
【図１５】第２実施形態における画像形成システムの課金制御を説明するためのフローチャートである。
【図１６】第２実施形態における表示画面の一例を示す図である。
【発明を実施するための形態】
【００１８】
以下、図面を参照して本発明を実施するための最良の形態について説明する。なお、本実施形態では、一例として、画像形成装置を、デジタル複合機に適用した場合について説明する。
【００１９】
［１．第１実施形態］
まず、第１実施形態について説明する。第１実施形態は、携帯端末装置からジョブ情報を入力して画像形成装置に送信する。そして、画像形成装置は、受信されたジョブ情報に基づいてジョブが実行可能であればジョブを実行し、実行出来ない場合には適切なジョブを代替ジョブとして携帯端末装置に送信する実施形態である。
【００２０】
［１．１  システム構成］
まず本発明を適用した実施形態における画像形成システム全体の構成について図１を用いて説明する。図１に示す用に、画像形成システム１は、画像形成装置であるデジタル複合機１０に、デジタル複合機１０にジョブ情報を送信する携帯端末装置２０が含まれている。
【００２１】
本実施形態において、デジタル複合機１０と、携帯端末装置２０とは、無線通信にて接続されている。具体的には、赤外線通信（ＩｒＤＡ：Infrared Data Association）、Ｂｌｕｅｔｏｏｔｈ、非接触ＩＣカード（例えば、Ｆｅｌｉｃａ等）といった近距離無線通信が利用されるが、無線ＬＡＮ、携帯電話網等の他の無線通信であったり、ＵＳＢ接続等の有線接続を利用したりしても良い。
【００２２】
また、携帯端末装置２０には、デジタル複合機１０のジョブ情報を入力する（デジタル複合機１０の動作モード等を設定する）ためのアプリケーションが利用される。このアプリケーションは、デジタル複合機１０と通信を行う前に予めインストールしておいても良いし、初回利用時にインストールすることとしても良い。更に、ブラウザベースのアプリケーションが提供されており、当該ジョブ情報を入力可能なサイトにアクセスし、実行することとしても良い。
【００２３】
［１．２  装置構成］
続いて、画像形成システム１に含まれる各装置の構成についての図を用いて説明する。
【００２４】
［１．２．１  デジタル複合機］
まず、デジタル複合機１０の構成について説明する。図２はデジタル複合機１０の外観斜視図であり、図３はデジタル複合機１０の機能構成図である。
【００２５】
図３に示すように、デジタル複合機１０は、制御部１００に、画像入力部１１０と、画像形成部１２０と、画像処理部１３０と、画像出力部１４０と、通信部１５０と、記憶部１６０と、操作部１７０と、表示部１８０とが接続されている。
【００２６】
制御部１００は、デジタル複合機１０の全体を制御するための機能部である。制御部１００は、記憶部１６０に記憶されている各種プログラムを読み出して実行することにより各種機能を実現しており、例えばＣＰＵ（Central Process Unit）等により構成されている。
【００２７】
画像入力部１１０は、原稿の画像を読み取って画像データを生成するものであり、例えばＣＣＤ（Charge Coupled Device）等の光学情報を電気信号に変換するデバイスを備えたスキャナ装置等により構成されている。なお、画像入力部１１０は、スキャナ装置等の他にもデジタルカメラ等で撮像された画像を外部から取り込むようにしてもよいし、ＵＳＢメモリや、コンパクトフラッシュ（登録商標）等の記憶媒体、通信部１５０を介して他の端末から原稿データを入力（受信）しても良い。
【００２８】
画像形成部１２０は、画像データを記録媒体（例えば記録用紙）に形成するための機能部である。例えば、図２の給紙トレイ１３２から記録用紙を給紙し、画像形成部１２０に記録用紙の表面に画像が形成された後に排紙トレイ１３４から排紙される。画像形成部１２０は、例えば電子写真方式を利用したレーザプリンタ等により構成されている。
【００２９】
画像処理部１３０は、画像データである原稿データに各種画像処理を施す機能部である。例えば、原稿データの鮮鋭化処理をしたり、色変換処理を実行したりする。
【００３０】
画像出力部１４０は、原稿データを画像データ（電子データ）として出力する機能部である。原稿データとしては、画像入力部１１０から入力されたり、通信部１５０から受信されたりする場合があり、それらの原稿データは一度原稿データ格納領域１５２に記憶される。
【００３１】
そして、原稿データをＪＰＥＧ（Joint Photographic Experts Group）や、ＰＤＦ（Portable Document Format）といった画像データ（電子データ）に変換し、出力可能である。画像出力部１４０として、例えばデジタル複合機１０に装着されたＵＳＢメモリ等の外部記憶装置に出力してもよいし、通信部１５０を介して他の端末等に画像データを出力してもよい。
【００３２】
通信部１５０は、デジタル複合機１０が他の装置、端末と通信を行う為のインタフェースを提供する機能部である。例えば、Ｅｔｈｅｒｎｅｔに接続可能なＮＩＣ（Network Interface Card）等により構成されている。
【００３３】
特に本実施形態の場合、携帯端末装置２０と通信を行う為の近距離無線通信（ＮＦＣ：Near Field Communication）を実現するための機能部を備えている。例えば、携帯端末装置２０に内蔵されているＩＣカード（ＩＣタブ）を通信部１５０にて読み取ることにより通信を実現しても良いし、赤外線通信やＢｌｕｅｔｏｏｔｈ等により携帯端末装置２０との通信を実現しても良い。
【００３４】
記憶部１６０は、デジタル複合機１０の動作に必要な各種プログラムや、各種データが記憶されている機能部である。記憶部１６０は、例えば、半導体メモリや、ＨＤＤ（Hard Disk Drive）等により構成されている。
【００３５】
また、記憶部１６０には、原稿データを記憶する為の原稿データ格納領域１６２と、ジョブを記憶するジョブ情報１６４と、代替ジョブテーブル１６６とが記憶される。
【００３６】
原稿データ格納領域１６２は、画像入力部１１０から入力された原稿データ（画像）等が記憶される領域である。
【００３７】
ジョブ情報１６４は、デジタル複合機１０が実行するジョブに関する設定情報を記憶している。なお、本実施形態におけるジョブとは、デジタル複合機１０の動作モード（例えば、複写モードやＦＡＸモード、ファイル送信モード等）や、デジタル複合機１０が動作する場合の設定情報（例えば、Ａ４の用紙に両面印刷を行う、カラーモードで原稿を読み取／記録紙に印刷する、ＰＤＦ形式の画像データを出力する）、実際に出力する画像データの組み合わせといった、デジタル複合機１０の動作に関する広義な意味である。
【００３８】
ジョブ情報１６４の一例を図４に示す。記憶部１６０に記憶されているジョブ情報１６４は、部数（例えば、「１０」部）と、カラーモード（例えば、「フルカラー」）と、原稿設定（例えば、Ａ４の用紙について両面読み込む「Ａ４／両面」）と、原稿情報を印刷（出力）する用紙設定（例えば、Ａ４の用紙について両面読み込む「Ａ４／両面」）と、特別機能（例えば、「白紙飛ばし／２  ｉｎ  １」）とのジョブを記憶している。
【００３９】
代替ジョブテーブル１６６は、携帯端末装置２０から受信されたジョブ情報の代替となるジョブを条件と供に記憶しているテーブルである。図５に示すように、設定されるジョブ（「設定ジョブ」）と、代替ジョブが判定されるための条件（「判定条件」）と、判定条件時に代替されるジョブ（「代替ジョブ」）とが対応づけて記憶されている。
【００４０】
例えば、カラーモードの設定が「フルカラー」である場合、デジタル複合機１０のカラートナーが無い場合には、カラーモードの設定を「モノクロ」として代替のジョブとして記憶している。
【００４１】
操作部１７０は、利用者が動作を指示したり、設定を指示したりするための機能部であり、各種キースイッチ等により構成されている。また、表示部１８０は、利用者に各種情報を報知するための機能部であり、例えばＬＣＤ等により構成されている。ここで、操作部１７０と表示部１８０とを一体形成としてタッチパネル等により構成してもよい。
【００４２】
［１．２．２  携帯端末装置］
続いて、携帯端末装置２０の構成について、図５を用いて説明する。図５に示すように、携帯端末装置２０は、制御部２００に通信部２５０と、記憶部２６０と、操作部２７０と、表示部２８０とが接続されている。
【００４３】
制御部２００は、サーバ２０の全体を制御するための機能部である。制御部２００は、記憶部２６０に記憶されている各種プログラムを読み出して実行することにより各種機能を実現しており、例えばＣＰＵ（Central Process Unit）等により構成されている。
【００４４】
通信部２５０は、サーバ２０と外部の端末とが通信を行う為のインタフェースを提供する機能部である。例えば、Ｅｔｈｅｒｎｅｔに接続可能なＮＩＣ（Network Interface Card）や、携帯電話回線に接続可能な通信モジュール等により構成されている。
【００４５】
また、本実施形態の場合はデジタル複合機１０との通信を行う通信機能部を有している。この場合、無線インタフェースだけではなく、例えば各種情報を記憶し通信可能なＩＣチップや、Ｂｌｕｅｔｏｏｔｈ等といった近距離無線通信を実現するための通信モジュールにより構成されている。すなわち、デジタル複合機１０の通信部１５０と通信可能な機能部を備えていれば良い。
【００４６】
記憶部２６０は、サーバ２０の動作に必要な各種プログラムや、各種データが記憶されている機能部である。記憶部２６０は、例えば、半導体メモリや、ＨＤＤ（Hard Disk Drive）等により構成されている。また、記憶部２６０にはジョブ情報２６２が記憶されている。
【００４７】
ジョブ情報２６２は、デジタル複合機１０において実行されるジョブに関する情報であり、デジタル複合機１０に送信される。デジタル複合機１０に送信されたジョブ情報２６２は、ジョブ情報１６４として記憶される。なお、ジョブ情報２６２のデータ構成は、ジョブ情報１６４において説明した構成となっている。
【００４８】
操作部２７０は、利用者が動作を指示したり、設定を指示したりするための機能部であり、各種キースイッチ等により構成されている。また、表示部２８０は、利用者に各種情報を報知するための機能部であり、例えばＬＣＤ等により構成されている。ここで、操作部２７０と表示部２８０とを一体形成としてタッチパネル等により構成してもよい。
【００４９】
［１．３  処理の流れ］
続いて本実施形態における処理の流れについて図を用いて説明する。
【００５０】
［１．３．１  携帯端末装置の処理］
まず、携帯端末装置２０の処理の流れについて図７のフローチャートを用いて説明する。携帯端末装置２０において、デジタル複合機１０において実行されるジョブに関するジョブ情報が入力されると（ステップＳ１００）、スタートが実行されたか否かを判定する（ステップＳ１０２）。
【００５１】
ここで、スタートが実行される（例えば、タッチパネルに表示されているスタートキーがタッチされる）と（ステップＳ１０２；Ｙｅｓ）、ステップＳ１００において入力されていたジョブ情報がデジタル複合機１０へ送信される（ステップＳ１０４）。
【００５２】
なお、ステップＳ１０２におけるスタートが実行されるとは、所定のタイミングのことをいい、例えば非接触ＩＣカード等により近距離無線通信が開始されたタイミングをスタートと認識し、その段階でジョブ情報を送信しても良い。この場合、利用者がジョブ情報を入力し、その後通信部２５０と通信部１５０とが通信を開始した段階で、ジョブ情報が送信される。
【００５３】
続いて、携帯端末装置２０が、デジタル複合機１０から信号を受信すると（ステップＳ１０６；Ｙｅｓ）、当該信号がジョブ終了信号か否かを判定する（ステップＳ１０８）。ここで、ジョブ終了信号であった場合には（ステップＳ１０８；Ｙｅｓ）、ジョブ終了メッセージを表示部２８０に表示し（ステップＳ１２０）、本処理を終了する。
【００５４】
他方、受信された信号が代替ジョブ情報であった場合には（ステップＳ１０８；Ｎｏ→ステップＳ１１０；Ｙｅｓ）、受信された代替ジョブを表示部２８０に表示する（ステップＳ１１２）。
【００５５】
ここで、代替ジョブを許可する操作が利用者によりされた場合には（ステップＳ１１４；Ｙｅｓ）、代替許可信号を「許可」としてデジタル複合機１０に送信する（ステップＳ１１６）。
【００５６】
他方、代替ジョブを許可しない操作が利用者によりされた場合には（ステップＳ１１４；Ｎｏ）、代替許可信号を「不許可」としてデジタル複合機１０に送信する（ステップＳ１１８）。
【００５７】
また、受信された信号がジョブ終了信号でも代替ジョブ情報でも無い場合は（ステップＳ１１０；Ｎｏ）、受信された信号に応じた他の処理を実行することとなる。
【００５８】
なお、上述した代替ジョブを許可、不許可とするのは、代替ジョブ情報に含まれている代替ジョブを個別に許可・不許可としても良いし、一括して許可・不許可としても良い。
【００５９】
［１．３．２  デジタル複合機の処理］
続いて、デジタル複合機１０の処理について図８を用いて説明する。まず、デジタル複合機１０は、携帯端末装置２０からのジョブ情報の受信を待機する（ステップＳ２００）。
【００６０】
ジョブ情報が受信された場合（ステップＳ２００；Ｙｅｓ）、ジョブ情報に含まれるジョブが実行可能か否かを判定する（ステップＳ２０２）。ここで、ジョブが実行可能である場合には（ステップＳ２０２；Ｙｅｓ）、ジョブ情報に基づいてジョブを実行する（ステップＳ２１４）。
【００６１】
他方、ジョブ情報に含まれるジョブの実行が不可能と判定された場合には（ステップＳ２０２；Ｎｏ）、実行不可能であるジョブの代替ジョブ案を代替ジョブテーブル１６６を参照して作成する（ステップＳ２０４）。そして、作成された代替ジョブ案を含めた代替ジョブ情報を、携帯端末装置２０に送信する（ステップＳ２０６）。
【００６２】
ここで、携帯端末装置２０から代替許可信号が受信され、代替許可信号が「許可」である場合には（ステップＳ２０８；Ｙｅｓ→ステップＳ２１０；Ｙｅｓ）、代替ジョブ情報でジョブ情報を更新し（ステップＳ２１２）、当該更新されたジョブ情報に基づいてジョブを実行する（ステップＳ２１４）。
【００６３】
他方、代替許可信号を受信したが、代替許可信号が「不許可」の場合には（ステップＳ２０８；Ｙｅｓ→ステップＳ２１０；Ｎｏ）、ジョブをキャンセルする（ステップＳ２２０）。
【００６４】
また、代替許可信号については、所定時間受信を待機する（ステップＳ２０８；Ｎｏ→ステップＳ２１８；Ｎｏ→ステップＳ２０８）。そして、所定時間を経過しても代替許可信号を受信しない場合には（ステップＳ２０８；Ｎｏ→ステップＳ２１８；Ｙｅｓ）、代替ジョブ情報が不許可であったとみなし、ジョブをキャンセルする（ステップＳ２２０）。
【００６５】
ジョブを実行したか又はジョブをキャンセルした場合、すなわちデジタル複合機１０においてジョブが終了した場合には、ジョブ終了信号を携帯端末装置２０に送信し（ステップＳ２１６）、本処理を終了する。
【００６６】
［１．４  動作例］
続いて、動作例について図を用いて説明する。図９は、携帯端末装置２０における表示部２８０（タッチパネル）に表示される表示画面Ｗ１００の一例である。表示画面Ｗ１００のとき、利用者はジョブ情報を入力することができる。
【００６７】
図９においては、領域Ｒ１００に入力された各ジョブ（ジョブ情報）が表示されている。例えば部数が「１０部」であり、カラーモードが「フルカラー」であると設定されている。そして、利用者により、スタートボタンＢ１００がタッチされると、ジョブ情報がデジタル複合機１０に送信される。
【００６８】
図１０は、代替ジョブ情報に基づくジョブ及び代替ジョブが表示された携帯端末装置２０における表示画面Ｗ１１０の一例である。まず、携帯端末装置２０からジョブ情報がデジタル複合機１０に送信され（図７のステップＳ１０４）、デジタル複合機１０が受信する（図８のステップ２００；Ｙｅｓ）。
【００６９】
ここで、受信されたジョブ情報に基づくジョブが実行出来ないと判定された場合（ステップＳ２０２；Ｎｏ）、代替ジョブ案が作成される（ステップＳ２０４）。
【００７０】
例えば、設定されたジョブのカラーモードは「フルカラー」であったが、デジタル複合機１０にカラートナーが無いとする。この場合、代替ジョブテーブル１６６を参照し、代替ジョブとしてはカラーモードを「モノクロ」とし代替ジョブ案を作成する。そして、作成された代替ジョブ案に基づいた代替ジョブ情報を、携帯端末装置２０に送信する（図８のステップＳ２０６）。
【００７１】
そして、受信された代替ジョブ情報に基づいて、ジョブ及び代替ジョブとして表示画面Ｗ１１０の領域Ｒ１１０に表示されている。とくに、領域Ｒ１１２は、カラーモードが「フルカラー」から代替ジョブの「モノクロ」に変更されることが識別表示されている。更に、代替ジョブが適用される理由が領域Ｒ１１４に表示されている。
【００７２】
ここで、許可ボタンＢ１１０がタッチされればジョブが実行される（図７のステップＳ１１４；Ｙｅｓ→ステップＳ１１６／図８のステップＳ２０８；Ｙｅｓ→ステップＳ２１０；Ｙｅｓ→ステップＳ２１２→ステップＳ２１４）。他方、不許可ボタンＢ１１２がタッチされれば、ジョブがキャンセルされる（図７のステップＳ１１４；Ｎｏ→ステップＳ１１８／図８のステップＳ２０８；Ｙｅｓ→ステップＳ２１０；Ｎｏ→ステップＳ２２０）。
【００７３】
図１１は、デジタル複合機１０においてジョブが終了した場合に携帯端末装置２０に表示される表示画面Ｗ１２０である。デジタル複合機１０においてジョブが終了する（ジョブが実行される又はジョブがキャンセルされる）とジョブ終了信号が携帯端末装置２０に送信される（図８のステップＳ２１６）。また、携帯端末装置２０は、ジョブ終了信号を受信すると、ジョブが終了したメッセージを表示する（図７のステップＳ１０６；Ｙｅｓ→ステップＳ１０８；Ｙｅｓ→ステップＳ１２０）。
【００７４】
図１２は、代替ジョブ情報を携帯端末装置２０に送信している間に、デジタル複合機１０に表示される表示画面Ｗ２００の一例である。例えば、現在ジョブを受け付けたが、代替ジョブを携帯端末装置２０に送信し確認中であることを、領域Ｒ２００に表示している。これにより、デジタル複合機１０の利用者に対しても、現在のデジタル複合機１０の状態を報知することが可能となる。
【００７５】
このように、本実施形態によれば、携帯端末装置２０においてジョブを入力（ジョブ情報を入力）し、デジタル複合機１０に対して送信することにより、携帯端末装置２０を用いてジョブ情報が入力可能となり、入力されたジョブ情報に基づいてジョブが実行されることになる。
【００７６】
更に、デジタル複合機１０は、デジタル複合機１０の動作状態、搭載機能等に応じて適宜ジョブを同処理するかを判定し、適切な代替ジョブを提示して実行することができる。
【００７７】
これにより、例えば機種が異なることにより操作方法が異なるデジタル複合機や、設置環境の異なるデジタル複合機、動作状態がことなっているデジタル複合機であっても、携帯端末装置を利用する事により、同一のユーザインタフェースからデジタル複合機の設定をすることが可能となる。
【００７８】
更に、デジタル複合機に対して不慣れであっても、携帯端末装置を用いてジョブを入力し、デジタル複合機を操作することが出来る。更に、デジタル複合機の状態に応じて適切なジョブを実行する事も可能となる。このように、利用者にとって使い勝手の良い画像形成システムを提供することが可能となる。
【００７９】
［２．第２実施形態］
続いて第２実施形態について説明する。第２実施形態は、第１実施形態に加えて、携帯端末装置を利用して課金情報の処理について説明するための実施形態である。第１実施形態と同一の構成、処理については、その説明を省略する。
【００８０】
図１３は、第２実施形態におけるデジタル複合機１２の機能構成を説明するための図である。第１実施形態のデジタル複合機１０と比較すると、電子マネー部１９０が新たに含まれている。
【００８１】
電子マネー部１９０は、デジタル複合機１２を利用した場合の課金制御（決済処理）を行う機能部である。例えば、カード情報に基づいて決済処理を実行したり、携帯端末装置２０に内蔵されたＦｅｌｉｃａ等を利用して決済を行う処理を実行したりする。
【００８２】
ここで、具体的な課金制御に関する方法について、図を用いて説明する。図１４は、携帯端末２０は、まず課金ＩＤを抽出する（ステップＳ１０００）。ここで、課金ＩＤとは、決済処理において利用される識別情報である。
【００８３】
例えば、クレジットカード番号に対応する識別情報であったり、デビット決済処理において利用される金融機関の口座番号に対応する識別情報であったり、Ｆｅｌｉｃａに対応づけられている識別情報であったりする。
【００８４】
この課金ＩＤを、デジタル複合機１２に送信する（ステップＳ１０１０）。ここで、課金ＩＤを送信する方法としては、新たに送信しても良いし、ジョブ情報に含めて送信しても良い。例えば、携帯端末装置２０を、デジタル複合機１２の通信部１５０（図２）にかざすことにより、近距離無線通信により、課金ＩＤが送信される。
【００８５】
デジタル複合機１２は、課金ＩＤを受信すると（ステップＳ１０２０）、課金ＩＤに基づいて課金処理を実行する（ステップＳ１０３０）。具体的には、デジタル複合機１２に接続される決済サーバに問い合わせて、課金処理を実行するといった方法が考えられる。
【００８６】
また、図１５に示すように、課金情報を携帯端末装置２０において確認して決済することとしても良い。
【００８７】
まず、携帯端末装置２０は課金ＩＤを抽出し（ステップＳ２０００）、課金ＩＤをデジタル複合機１２に送信する（ステップＳ２０１０）。デジタル複合機１２は、課金ＩＤを受信し（ステップＳ２０２０）、課金情報を決定する（ステップＳ２０３０）。ここで、課金情報とは、課金する単価であったり、ジョブが実行された場合における金額の合計であったりする。
【００８８】
そして、決定された課金情報を携帯端末装置２０に送信する（ステップＳ２０４０）。携帯端末装置２０は、課金情報を受信すると（ステップＳ２０５０）、課金情報を確認し、課金承認処理を実行する（ステップＳ２０６０）。
【００８９】
課金承認処理が実行されると、携帯端末装置２０及びデジタル複合機１２において電子決済が実行され（ステップＳ２０７０）、ジョブが実行される。
【００９０】
図１６は、課金情報を携帯端末装置２０において表示している表示画面Ｗ３００の一例である。領域、Ｒ３００に課金情報が表示されている。これを利用者が確認し、課金承認処理を実行することにより、電子決済が成される。
【００９１】
また、例えば、携帯端末装置２０の通信部２５０を、デジタル複合機１２の通信部１５０（図２）にかざす。このとき、通信部２５０を構成するＩＣカードに対応づけられた電子マネーサービス（Ｅｄｙ、モバイルＳｕｉｃａ、Ｓｍａｒｔｐｌｕｓ等といった各提供事業者が展開しているサービス）から、利用料金が決済されることとなる。
【００９２】
このように、本実施形態によれば、事前にジョブ情報の入力ができるのと併せて、ユーザ管理等をすることなく、課金制御を行うことが可能となる。
【００９３】
［３．変形例］
以上、この発明の実施形態について図面を参照して詳述してきたが、具体的な構成はこの実施形態に限られるものではなく、この発明の要旨を逸脱しない範囲の設計等も特許請求の範囲に含まれる。
【００９４】
また、上述した実施形態は、画像形成装置をデジタル複合機に適用した場合について説明したが、例えばコンピュータ等の情報処理装置においても実現可能なことは勿論である。
【００９５】
また、上述した実施形態において、ジョブ情報が、デジタル複合機の動作モードに関する情報（設定情報）を中心に説明したが、機能的な動作モードに利用しても良い。
【００９６】
例えば、デジタル複合機において、ＦＡＸモードやファイル送信モード（メール送信モード）等、複数の動作モードが利用可能である。そして、利用者はＦＡＸを利用すると設定したが、利用するデジタル複合機がＦＡＸの機能を有しない（又は、回線障害等によりＦＡＸが利用出来ない等）場合には、ファイル送信モード（メール送信モード）に切り替えることが可能である。
【００９７】
また、第２実施形態において、代替ジョブが実行される場合には課金を割り引く等の処理を更に行っても良い。すなわち、本来利用者が所望するジョブが実行出来ないことから、本来発生する金額から所定の金額を割り引いたものを課金するといったことが可能である。
【符号の説明】
【００９８】
１  画像形成システム
１０  デジタル複合機
１００  制御部
１１０  画像入力部
１２０  画像形成部
１３０  画像出力部
１４０  通信部
１５０  記憶部
１５２  原稿データ格納領域
１５４  電子データ要求情報
１６０  操作部
２０  携帯端末装置
２００  制御部
２５０  通信部
２６０  記憶部
２６２  ジョブ情報
２６４  代替
２７０  操作部
２８０  表示部
【図１】
2012250420.tif 000003
【図２】
2012250420.tif 000004
【図３】
2012250420.tif 000005
【図４】
2012250420.tif 000006
【図５】
2012250420.tif 000007
【図６】
2012250420.tif 000008
【図７】
2012250420.tif 000009
【図８】
2012250420.tif 000010
【図９】
2012250420.tif 000011
【図１０】
2012250420.tif 000012
【図１１】
2012250420.tif 000013
【図１２】
2012250420.tif 000014
【図１３】
2012250420.tif 000015
【図１４】
2012250420.tif 000016
【図１５】
2012250420.tif 000017
【図１６】
2012250420.tif 000018